(57)【要約】  【課題】オーディオ再生中でも音声操作をより確実に受け付けることができるオーディオ装置を提供する。  【解決手段】オーディオ装置２は、オーディオ再生中にスピーカから音声操作受付用マイク２０−１、２０−２に回り込んだ回り込み信号をキャンセルするためのエコーバックパラメータを決定するパラメータ決定部３０と、オーディオ再生中に音声操作受付用マイク２０−１、２０−２で集音された集音信号に対してエコーバックパラメータによりフィルタリングを行うフィルタ処理部２７と、フィルタリングされた集音信号に対して音声認識処理を実施する音声認識部２８と、音声認識結果に基づいて音声操作を受け付ける操作受付部２９と、を備えている。パラメータ決定部３０は、テスト信号をスピーカから出力して音声操作受付用マイク２０−１、２０−２により集音し、テスト信号に対する集音信号の遅延時間、減衰率に基づいて、エコーバックパラメータを決定する。【選択図】図２
2018165787.tif 000002
【特許請求の範囲】
【請求項１】
音声操作受付機能を有するオーディオ装置であって、
オーディオ信号を再生してスピーカに出力するオーディオ再生手段と、
ユーザから音声操作を受け付けるための音声操作受付用マイクと、
オーディオ再生中に前記スピーカから前記音声操作受付用マイクに回り込んだ回り込み信号をキャンセルするためのエコーバックパラメータを決定するパラメータ決定手段と、
オーディオ再生中に前記音声操作受付用マイクで集音された集音信号に対して、前記パラメータ決定手段により決定されたエコーバックパラメータでフィルタリングを行うフィルタ処理手段と、
前記フィルタ処理手段によりフィルタリングされた集音信号に対して音声認識処理を実施して前記音声操作を受け付ける音声操作受付手段と、を備え、
前記パラメータ決定手段は、
テスト信号を前記スピーカから出力して前記音声操作受付用マイクにより集音し、当該テスト信号に対する前記音声操作受付用マイクの集音信号の遅延時間および減衰率に基づいて、前記エコーバックパラメータを決定する
ことを特徴とするオーディオ装置。
【請求項２】
請求項１に記載のオーディオ装置であって、
前記オーディオ再生手段は、
マルチチャンネルオーディオ信号を再生して複数のスピーカから出力するものであり、
前記パラメータ決定手段は、
前記テスト信号を前記複数のスピーカから順番に出力して前記音声操作受付用マイクにより集音し、前記スピーカ毎に当該テスト信号に対する前記音声操作受付用マイクの集音信号の遅延時間および減衰率を測定し、前記スピーカ毎に測定した前記遅延時間および前記減衰率に基づいて前記エコーバックパラメータを決定する
ことを特徴とするオーディオ装置。
【請求項３】
請求項２に記載のオーディオ装置であって、
音場環境測定用マイクをさらに備え、
前記パラメータ決定手段は、
前記エコーバックパラメータの決定に際して、前記複数のスピーカから順番に出力した前記テスト信号を、ユーザの聴取位置に設置された前記音場環境測定用マイクにより集音し、前記スピーカ毎に当該テスト信号に対する前記音場環境測定用マイクの集音信号の遅延時間および減衰率を測定し、前記スピーカ毎に測定した前記遅延時間および前記減衰率に基づいて、前記スピーカ各々の出力特性パラメータを決定し、
前記オーディオ再生手段は、
前記スピーカ毎に、前記パラメータ決定手段により決定された前記スピーカの出力特性パラメータに従って当該スピーカから出力するオーディオ信号を補正する
ことを特徴とするオーディオ装置。
【請求項４】
コンピュータで読み取り可能なプログラムであって、
前記プログラムは、前記コンピュータを、音声操作受付機能を有するオーディオ装置として機能させ、
前記オーディオ装置は、
オーディオ信号を再生してスピーカに出力するオーディオ再生手段と、
オーディオ再生中に、ユーザの音声操作を受け付けるための音声操作受付用マイクに前記スピーカから回り込んだ回り込み信号をキャンセルするためのエコーバックパラメータを決定するパラメータ決定手段と、
オーディオ再生中に前記音声操作受付用マイクで集音された集音信号に対して、前記パラメータ決定手段により決定されたエコーバックパラメータでフィルタリングを行うフィルタ処理手段と、
前記フィルタ処理手段によりフィルタリングされた集音信号に対して音声認識処理を実施して前記音声操作を受け付ける音声操作受付手段と、を備え、
前記パラメータ決定手段は、
テスト信号を前記スピーカから出力して前記音声操作受付用マイクにより集音し、当該テスト信号に対する前記音声操作受付用マイクの集音信号の遅延時間および減衰率に基づいて、前記エコーバックパラメータを決定する
ことを特徴とするコンピュータで読み取り可能なプログラム。
【発明の詳細な説明】
【技術分野】
【０００１】
本発明は、音声操作受付機能を有するオーディオ装置に関する。
【背景技術】
【０００２】
特許文献１には、複数のスピーカを用いてマルチチャンネルオーディオ再生を行うマルチチャネル対応オーディオ装置が開示されている。このマルチチャンネル対応オーディオ装置では、スピーカ毎に、スピーカから出力されたテスト信号をユーザの聴取位置に設置されたマイクで集音し、その遅延時間、減衰率を測定することにより、各スピーカから出力されるオーディオ信号がユーザの聴取位置で最適となるように各スピーカの出力特性（遅延時間、音響特性）を設定している。
【０００３】
また、特許文献２には、音声操作受付機能を有するオーディオ装置が開示されている。このオーディオ装置によれば、ユーザは、楽曲の選曲や音量レベルの調整等を音声により操作することができ、使い勝手が向上する。
【０００４】
また、特許文献３には、音声通話等において、スピーカから出力された音声信号がマイクで集音されることにより発生するエコーをキャンセルするエコーキャンセラが開示されている。このエコーキャンセラでは、スピーカから出力される音声信号とマイクの集音信号との相関を解析し、スピーカからマイクに回り込む回り込み信号の遅延量を算出する。そして、スピーカから出力される音声信号をこの遅延量だけ遅延させた遅延信号を生成し、この遅延信号を用いてマイクの集音信号に含まれている回り込み信号をキャンセルしている。
【先行技術文献】
【特許文献】
【０００５】
【特許文献１】特開２０００−３５４３００号公報
【特許文献２】特開２０１４−２１９６１４号公報
【特許文献３】特開２００６−１４３５９号公報
【発明の概要】
【発明が解決しようとする課題】
【０００６】
近年、特許文献１に記載のようなマルチチャンネル対応オーディオ装置においても、特許文献２に記載のような音声操作受付機能が求められている。しかしながら、マルチチャンネル対応オーディオ装置に音声操作受付機能を追加した場合、つぎのような問題が生じる。すなわち、マルチチャンネルオーディオ再生中に音声操作を受け付ける場合、複数のスピーカから出力されたオーディオ信号がマイクに回り込み、回り込み信号として、ユーザから受け付けた音声操作用の音声信号とともにマイクに集音される。このため、音声操作用の音声信号の音声認識率が低下して、音声操作の受付に失敗する可能性がある。
【０００７】
ここで、特許文献３に記載のエコーキャンセラを用いて、複数のスピーカからマイクに回り込んだ回り込み信号をマイクの集音信号からキャンセルすることも考えられる。しかし、このエコーキャンセラでは、複数のスピーカのそれぞれについて、スピーカから出力されるオーディオ信号とマイクの集音信号との相関を解析し、スピーカからマイクに回り込む回り込み信号の遅延量を算出して、スピーカから出力されるオーディオ信号をこの遅延量だけ遅延させた遅延信号を生成し、マイクの集音信号に含まれている回り込み信号をこの遅延信号を用いてキャンセルする。この処理をリアルタイムで実施するためには、大きな処理能力が要求され、コストアップとなる。
【０００８】
本発明は上記事情に鑑みてなされたものであり、その目的は、オーディオ再生中でも音声操作をより確実に受け付けることができるオーディオ装置を提供することにある。
【課題を解決するための手段】
【０００９】
上記課題を解決するために、本発明では、オーディオ再生とは別に、スピーカから出力されたテスト信号を音声操作受付用マイクで集音し、その遅延時間および減衰率に基づいて、スピーカから音声操作受付用マイクに回り込んだ回り込み信号を集音信号からキャンセルするためのエコーバックパラメータを決定する。そして、オーディオ再生中に音声操作受付用マイクで集音された集音信号に対して、この決定されたエコーバックパラメータでフィルタリングを行い、フィルタリングされた集音信号に対して音声認識処理を実施して音声操作を受け付ける。
【００１０】
例えば、本発明は、
音声操作受付機能を有するオーディオ装置であって、
オーディオ信号を再生してスピーカに出力するオーディオ再生手段と、
ユーザから音声操作を受け付けるための音声操作受付用マイクと、
オーディオ再生中に前記スピーカから前記音声操作受付用マイクに回り込んだ回り込み信号をキャンセルするためのエコーバックパラメータを決定するパラメータ決定手段と、
オーディオ再生中に前記音声操作受付用マイクで集音された集音信号に対して、前記パラメータ決定手段により決定されたエコーバックパラメータでフィルタリングを行うフィルタ処理手段と、
前記フィルタ処理手段によりフィルタリングされた集音信号に対して音声認識処理を実施して前記音声操作を受け付ける音声操作受付手段と、を備え、
前記パラメータ決定手段は、
テスト信号を前記スピーカから出力して前記音声操作受付用マイクにより集音し、当該テスト信号に対する前記音声操作受付用マイクの集音信号の遅延時間および減衰率に基づいて、前記エコーバックパラメータを決定する。
【発明の効果】
【００１１】
本発明では、オーディオ再生に先立って、スピーカから出力されたテスト信号を音声操作受付用マイクで集音してエコーバックパラメータを決定することにより、オーディオ再生中に音声操作受付用マイクで集音された集音信号に対して、このエコーバックパラメータでフィルタリングを行い、フィルタリングされた集音信号に対して音声認識処理を実施することができる。このため、オーディオ再生中におけるユーザの音声認識率が向上し、オーディオ再生中の音声操作をより確実に受け付けることができる。
【００１２】
また、本発明では、オーディオ再生に先立ってエコーバックパラメータを決定することができるので、オーディオ再生中の処理負担を軽減でき、これにより、オーディオ再生中の音声操作受付に要求される処理能力の増大を抑制することができる。
【図面の簡単な説明】
【００１３】
【図１】図１は、本発明の一実施の形態に係るマルチチャンネルオーディオシステム１の概略構成図である。
【図２】図２は、オーディオ再生装置２の概略機能構成図である。
【図３】図３は、オーディオ再生装置２のパラメータ決定処理を説明するためのフロー図である。
【発明を実施するための形態】
【００１４】
以下に、本発明の一実施の形態について、図面を参照して説明する。
【００１５】
図１は、本実施の形態に係るマルチチャンネルオーディオシステム１の概略構成図である。
【００１６】
図示するように、本実施の形態に係るマルチチャンネルオーディオシステム１は、アクセスポイント６およびＷＡＮ、ＬＡＮ等のネットワーク７を介してメディアサーバ８に接続されている。メディアサーバ８は、マルチチャンネル対応の楽曲データをマルチチャンネルオーディオシステム１に提供する。
【００１７】
マルチチャンネルオーディオシステム１は、オーディオ再生装置２と、オーディオ再生装置２に接続された複数台のスピーカ３−１〜３−５（以下、単にスピーカ３とも呼ぶ）と、ユーザの聴取位置における音場環境測定の際に用いられる音場環境測定用マイク４と、オーディオ再生装置２を遠隔操作するためのリモートコントローラ５と、を備えている。なお、図１では５台のスピーカ３を示しているが、スピーカ３は２台あるいは４台以上でもよい。
【００１８】
オーディオ再生装置２は、音声操作受付用マイク２０−１、２０−２（以下、単に音声操作受付用マイク２０とも呼ぶ）を備えており、リモートコントローラ５による遠隔操作に加えて、音声操作受付用マイク２０による音声操作も受け付ける。そして、オーディオ再生装置２は、リモートコントローラ５による遠隔操作あるいは音声操作受付用マイク２０による音声操作によりユーザから楽曲データの選曲を受け付けて、選曲された楽曲データをメディアサーバ８からダウンロードして、複数のスピーカ３を用いてマルチチャンネルオーディオ再生する。この際、オーディオ再生装置２は、音場環境測定用マイク４を用いて事前実施した音場環境測定の結果に基づいて決定された各スピーカ３の出力特性パラメータに従い、各スピーカ３から出力されるオーディオ信号をユーザの聴取位置で最適となるように補正する。
【００１９】
また、オーディオ再生装置２は、音場環境測定の際に、各スピーカ３から音声操作受付用マイク２０に回り込んだ回り込み信号を音声操作受付用マイク２０の集音信号からキャンセルするためのエコーバックパラメータを決定している。そして、マルチチャンネルオーディオ再生中、このエコーバックパラメータに従い音声操作受付用マイク２０の集音信号をフィルタリングすることにより、音声操作受付用マイク２０の集音信号に含まれている回り込み信号をキャンセルする。これにより、音声操作受付用マイク２０の集音信号に含まれているユーザ音声の音声認識率を向上させ、マルチチャンネルオーディオ再生中でも音声操作を受付可能としている。
【００２０】
図２は、オーディオ再生装置２の概略機能構成図である。
【００２１】
図示するように、オーディオ再生装置２は、ユーザから音声操作を受け付けるためのマイクである音声操作受付用マイク２０−１、２０−２と、ネットワークインターフェース部２１と、音場環境測定用マイク接続部２２と、スピーカ接続部２３と、出力特性パラメータ記憶部２４と、エコーバックパラメータ記憶部２５と、マルチチャンネルオーディオ再生部２６と、フィルタ処理部２７と、音声認識部２８と、操作受付部２９と、パラメータ決定部３０と、テスト信号発生部３１と、主制御部３２と、を備えている。
【００２２】
ネットワークインターフェース部２１は、アクセスポイント６を介してリモートコントローラ５と通信したり、あるいは、アクセスポイント６およびネットワーク７を介してメディアサーバ８と通信したりするためのインターフェースである。
【００２３】
音場環境測定用マイク接続部２２は、音場環境測定の際に用いられる音場環境測定用マイク４を接続するための接続端子である。
【００２４】
スピーカ接続部２３は、スピーカ３を接続するためのインターフェースであり、チャンネル毎に該当チャンネルに対応するスピーカ３を接続するための接続端子であるチャンネル１接続端子２３０−１〜チャンネル５接続端子２３０−５（以下、単にチャンネル接続端子２３０とも呼ぶ）を有する。
【００２５】
出力特性パラメータ記憶部２４には、チャンネル毎に、該当チャンネルに対応するチャンネル接続端子２３０から出力されるオーディオ信号の出力特性（遅延時間、音響特性）を補正するためのパラメータである出力特性パラメータが記憶される。
【００２６】
エコーバックパラメータ記憶部２５には、音声操作受付用マイク２０毎に、各スピーカ３から該当音声操作受付用マイク２０に回り込んだ回り込み信号を該当音声操作受付用マイク２０の集音信号からキャンセルするためのエコーバックパラメータが記憶される。
【００２７】
マルチチャンネルオーディオ再生部２６は、マルチチャンネル対応の楽曲データをチャンネル毎のオーディオ信号に再生する。そして、チャンネル毎に、再生したオーディオ信号を、出力特性パラメータ記憶部２４に記憶されている該当チャンネルの出力特性パラメータに従って補正して、該当チャンネルのチャンネル接続端子２３０から出力する。これにより、楽曲データをマルチチャンネルオーディオ再生する。
【００２８】
フィルタ処理部２７は、音声操作受付用マイク２０毎に、エコーバックパラメータ記憶部２５に記憶されている該当音声操作受付用マイク２０のエコーバックパラメータに従って、該当音声操作受付用マイク２０の集音信号にフィルタリングを行い、この集音信号に含まれている回り込み信号をキャンセルする。
【００２９】
音声認識部２８は、フィルタ処理部２７によりフィルタリングされた音声操作受付用マイク２０の集音信号に対して音声認識処理を行って、ユーザ音声を特定する。
【００３０】
操作受付部２９は、ネットワークインターフェース部２１を介してリモートコントローラ５による遠隔操作を受け付けたり、または、フィルタ処理部２７および音声認識部２８を介して音声操作受付用マイク２０による音声操作を受け付けたり、あるいは、図示していない操作パネルから操作を受け付けたりする。
【００３１】
パラメータ決定部３０は、チャンネル毎に出力特性パラメータを決定して出力特性パラメータ記憶部２４に記憶するとともに、音声操作受付用マイク２０毎にエコーバックパラメータを決定してエコーバックパラメータ記憶部２５に記憶する。
【００３２】
テスト信号発生部３１は、パラメータ決定部３０が出力特性パラメータおよびエコーバックパラメータを決定する際に用いられ、チャンネル１接続端子２３０−１〜チャンネル５接続端子２３０−５から順番に出力するピンクノイズ等のテスト信号を発生する。
【００３３】
主制御部３２は、オーディオ再生装置２の各部２０〜３１を統括的に制御する。
【００３４】
つぎに、上記構成のオーディオ再生装置２の動作について説明する。
【００３５】
［マルチチャンネルオーディオ再生処理］
操作受付部２９は、ネットワークインターフェース部２１を介してリモートコントローラ５から受け付けたユーザの遠隔操作により、または、フィルタ処理部２７および音声認識部２８を介して音声操作受付用マイク２０から受け付けたユーザの音声操作により、あるいは、図示していない操作パネルから受け付けたユーザの操作により、楽曲データが選曲されると、選曲された楽曲データを主制御部３２に通知する。
【００３６】
これを受けて、主制御部３２は、ネットワークインターフェース部２１を介してメディアサーバ８にアクセスして、メディアサーバ８から、選曲された楽曲データをダウンロードする。そして、ダウンロードした楽曲データをマルチチャンネルオーディオ再生部２６に出力する。
【００３７】
マルチチャンネルオーディオ再生部２６は、主制御部３２から楽曲データを受け取ると、この楽曲データをチャンネル毎のオーディオ信号に再生する。そして、チャンネル毎に、再生したオーディオ信号を、出力特性パラメータ記憶部２４に記憶されている該当チャンネルの出力特性パラメータに従ってユーザの聴取位置で最適となるように補正し、該当チャンネルのチャンネル接続端子２３０から出力する。これにより、楽曲データをマルチチャンネルオーディオ再生する。
【００３８】
［マルチチャンネルオーディオ再生中の音声操作受付処理］
マルチチャンネルオーディオ再生中において、フィルタ処理部２７は、音声操作受付用マイク２０毎に、該当音声操作受付用マイク２０の集音信号に対して、エコーバックパラメータ記憶部２５に記憶されている該当音声操作受付用マイク２０のエコーバックパラメータに従ってフィルタリングを行う。このフィルタリングにより、各スピーカ３から音声操作受付用マイク２０に回り込み、この音声操作受付用マイク２０の集音信号に混入した回り込み信号がキャンセルされる。その後、フィルタ処理部２７は、フィルタリングされた各音声操作受付用マイク２０の集音信号を音声認識部２８に出力する。
【００３９】
音声認識部２８は、フィルタ処理部２７から受け取った各音声操作受付用マイク２０の集音信号に対して音声認識処理を行って、ユーザ音声を特定する。そして、特定したユーザ音声の認識内容を操作受付部２９に渡す。
【００４０】
操作受付部２９は、音声認識部２８から受け取ったユーザ音声の認識内容が音声操作を示しているか否かを判断し、音声操作ならばその操作内容を主制御部３２に通知する。これを受けて、主制御部３２は、操作受付部２９より受け付けた操作内容に従った処理を実行する。
【００４１】
［パラメータ決定処理］
パラメータ決定処理は、マルチチャンネルオーディオ再生処理に先立って実施され、マルチチャンネルオーディオ再生処理に用いる出力特性パラメータ、およびマルチチャンネルオーディオ再生中の音声操作受付処理に用いるエコーバックパラメータを決定する。
【００４２】
図３は、オーディオ再生装置２のパラメータ決定処理を説明するためのフロー図である。このフローは、ユーザの聴取位置に設置された音場環境測定用マイク４が音場環境測定用マイク接続部２２に接続された状態で、操作受付部２９が、ネットワークインターフェース部２１を介してリモートコントローラ５から、あるいは、図示していない操作パネルから、音場環境の測定指示を受け付けることにより開始される。
【００４３】
まず、主制御部３２は、カウント値Ｎを「１」に設定する（Ｓ１）。それから、主制御部３２は、テスト信号発生部３１にチャンネルＮへのテスト信号出力を指示する。これを受けて、テスト信号発生部３１は、チャンネルＮ接続端子２３０−Ｎにテスト信号を出力する（Ｓ２）。このテスト信号は、チャンネルＮ接続端子２３０−Ｎに接続されたスピーカ３から出力されると同時にパラメータ決定部３０に入力される。
【００４４】
さて、チャンネルＮ接続端子２３０−Ｎに接続されたスピーカ３から出力されたテスト信号は、音場環境測定用マイク接続部２２に接続された音場環境測定用マイク４で集音され、音場環境測定用マイク４の集音信号としてパラメータ決定部３０に入力される。パラメータ決定部３０は、音場環境測定用マイク４の集音信号からテスト信号を検出すると（Ｓ３）、この検出信号と、テスト信号発生部３１から入力されたテスト信号とを比較し、ユーザの聴取位置におけるチャネルＮの音場環境として、検出信号のテスト信号に対する遅延時間、減衰率を測定する（Ｓ４）。
【００４５】
それから、パラメータ決定部３０は、測定したチャネルＮの音場環境に基づいて、チャンネルＮのスピーカ３から出力されるオーディオ信号がユーザの聴取位置で最適となるように、このスピーカ３から出力されるオーディオ信号を補正するための出力特性パラメータ（遅延時間、音響特性）を決定する（Ｓ５）。
【００４６】
また、チャンネルＮ接続端子２３０−Ｎに接続されたスピーカ３から出力されたテスト信号は、音声操作受付用マイク２０−１、２０−２で集音され、それぞれ、音声操作受付用マイク２０−１、２０−２の集音信号としてパラメータ決定部３０に入力される。パラメータ決定部３０は、音声操作受付用マイク２０−１、２０−２各々の集音信号からテスト信号を検出すると（Ｓ６）、各検出信号と、テスト信号発生部３１から入力されたテスト信号とを比較し、テスト信号に対する各検出信号の遅延時間、減衰率を測定する（Ｓ７）。
【００４７】
それから、パラメータ決定部３０は、音声操作受付用マイク２０−１について測定した遅延時間、減衰率に基づいて、チャンネルＮのスピーカ３から音声操作受付用マイク２０−１に回り込んだ回り込み信号を音声操作受付用マイク２０−１の集音信号からキャンセルするためのチャンネルＮのエコーバックパラメータ（フィルタリングのパラメータ）を決定する。同様に、音声操作受付用マイク２０−２について測定した遅延時間、減衰率に基づいて、チャンネルＮのスピーカ３から音声操作受付用マイク２０−２に回り込んだ回り込み信号を音声操作受付用マイク２０−２の集音信号からキャンセルするためのチャンネルＮのエコーバックパラメータを決定する（Ｓ８）。
【００４８】
つぎに、パラメータ決定部３０は、カウント値Ｎが最後のチャンネル番号（チャンネル接続端子２３０の総数と一致）に達しているか否かを判断する（Ｓ９）。カウント値Ｎが最後のチャンネル番号に達していない場合（Ｓ９でＮＯ）、カウント値Ｎを一つインクリメントして（Ｓ１０）、Ｓ２に戻る。
【００４９】
一方、カウント値Ｎが最後のチャンネル番号に達している場合（Ｓ９でＹＥＳ）、パラメータ決定部３０は、これまでに決定したすべてのチャンネルの出力特性パラメータを出力特性パラメータ記憶部２４に記憶する（Ｓ１１）。
【００５０】
また、パラメータ決定部３０は、音声操作受付用マイク２０−１について決定したすべてのチャンネルのエコーバックパラメータを統合し、音声操作受付用マイク２０−１のエコーバックパラメータとしてエコーバックパラメータ記憶部２５に記憶する。同様に、音声操作受付用マイク２０−２について決定したすべてのチャンネルのエコーバックパラメータを統合し、音声操作受付用マイク２０−２のエコーバックパラメータとしてエコーバックパラメータ記憶部２５に記憶する（Ｓ１２）。
【００５１】
以上、本発明の一実施の形態について説明した。
【００５２】
本実施の形態では、オーディオ再生に先立って、スピーカ３から出力されたテスト信号を音声操作受付用マイク２０で集音してエコーバックパラメータを決定することにより、オーディオ再生中に音声操作受付用マイク２０で集音された集音信号に対して、この決定されたエコーバックパラメータでフィルタリングを行い、フィルタリングされた集音信号に対し音声認識処理を実施することができる。このため、オーディオ再生中におけるユーザ音声の音声認識率が向上し、オーディオ再生中の音声操作をより確実に受け付けることができる。
【００５３】
また、本実施の形態では、オーディオ再生に先立ってエコーバックパラメータを決定することができるので、オーディオ再生中の処理負担を軽減でき、これにより、オーディオ再生中の音声操作受付に要求される処理能力の増大を抑制することができる。
【００５４】
また、本実施の形態では、各スピーカ３から出力される共通のテスト信号を用いて、エコーバックパラメータおよび出力特性パラメータの両方を決定しているので、エコーバックパラメータおよび出力特性パラメータを決定するための作業をそれぞれ別途に行う必要がなく、使い勝手が向上する。また、エコーバックパラメータおよび出力特性パラメータの両方ともに、スピーカ３から出力されるテスト信号に対する検出信号の遅延時間、減衰率に基づいて決定しているので、エコーバックパラメータ決定のための機能ブロックおよび出力特性パラメータ決定のための機能ブロックを実現するハードウエアあるいはソフトウエアを共用することが可能となり、その分、コストを下げることができる。
【００５５】
なお、本発明は上記の実施の形態に限定されるものではなく、その要旨の範囲内で数々の変形が可能である。
【００５６】
例えば、上記の実施の形態では、スピーカ３が複数台ある場合を例にとり説明したが、本発明はこれに限定されない。スピーカ３がマルチチャンネル対応のスピーカである場合、スピーカ３は１台であってもよい。
【００５７】
また、上記の実施の形態では、音声操作受付用マイク２０が２つある場合を例にとり説明したが（音声操作受付用マイク２０−１、２０−２）、音声操作受付用マイク２０は１つまたは３つ以上でもよい。また、音声操作受付用マイク２０は、オーディオ再生装置２に内蔵されていてもよいし、あるいは外付けされているものでもよい。
【００５８】
また、上記の実施の形態では、メディアサーバ８から楽曲データをダウンロードして再生する場合を例にとり説明したが、本発明はこれに限定されない。例えば、オーディオ再生装置２に、楽曲データを記憶する楽曲データ記憶部、あるいは楽曲データが記憶されたメディアから楽曲データを読み取る楽曲データ読取部を設けて、楽曲データ記憶部から、あるいは楽曲データ読取部を介してメディアから、楽曲データを取得し再生するようにしてもよい。
【００５９】
また、上記の実施の形態において、図２に示すオーディオ装置２の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）等の集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）等の計算機によりソフトウエア的に実現されるものでもよい。または、ＣＰＵと、メモリと、フラッシュメモリ、ハードディスクドライブ等の補助記憶装置と、無線ＬＡＮアダプタ等の通信装置と、スピーカと、を備えたＰＣ等の汎用コンピュータにおいて、ＣＰＵが所定のプログラムを補助記憶装置からメモリ上にロードして実行することにより実現されるものでもよい。
【符号の説明】
【００６０】
１：マルチチャンネルオーディオシステム、２：オーディオ再生装置、  ３、３−１〜３−５：スピーカ、  ４：音場環境測定用マイク、  ５：リモートコントローラ、  ６：アクセスポイント、  ７：ネットワーク、  ８：メディアサーバ、  ２０、２０−１、２０−２：音声操作受付用マイク、  ２１：ネットワークインターフェース部、  ２２：音場環境測定用マイク接続部、  ２３：スピーカ接続部、  ２４：出力特性パラメータ記憶部、  ２５：エコーバックパラメータ記憶部、  ２６：マルチチャンネルオーディオ再生部、  ２７：フィルタ処理部、  ２８：音声認識部、  ２９：操作受付部、  ３０：パラメータ決定部、  ３１：テスト信号発生部、  ３２：主制御部、  ２３０、２３０−１〜２３０−５：チャンネル接続端子
【図１】
2018165787.tif 000003
【図２】
2018165787.tif 000004
【図３】
2018165787.tif 000005